(57)【要約】【課題】大容量でも持ちやすく取扱性・清掃性のよい貯氷箱、また、すばやく氷を取り出せるようにアイスキャッチャーを貯氷箱の側壁に固定した貯氷箱を備えた冷蔵庫を提供する。【解決手段】冷凍室７内に製氷皿９と貯氷箱１０を備え、貯氷箱１０の左右両側壁に内側に湾曲した把持用凹部１７を形成し、把持用凹部１７を貯氷箱１０の底から上部のフランジ１０ａまでの全高に渡って形成し、把持用凹部１７に氷を取り出すアイスキャッチャー１９を保持するリブ１８を設けた。また、冷凍室７の内壁に固定され、製氷皿９を支持するとともに貯氷箱１０を冷凍室７から引き出し可能とする仕切壁１６を貯氷箱１０の上方に設けた。【選択図】図４
2007113817.tif 000002
【特許請求の範囲】
【請求項１】
冷凍室内に製氷皿と貯氷箱を備えた冷凍冷蔵庫において、
前記貯氷箱の側壁に内側に湾曲した把持用凹部を形成したことを特徴とする冷凍冷蔵庫。
【請求項２】
前記把持用凹部を前記貯氷箱の底から上部のフランジまでの全高に渡って形成したことを特徴とする請求項１記載の冷凍冷蔵庫。
【請求項３】
前記把持用凹部を貯氷箱の左右の両側壁に形成したことを特徴とする請求項１または２記載の冷凍冷蔵庫。
【請求項４】
前記把持用凹部に氷を取り出すアイスキャッチャーを保持する保持部を設け、前記アイスキャッチャーを保持したことを特徴とする請求項２または３記載の冷凍冷蔵庫。
【請求項５】
前記冷凍室内壁に固定され、前記製氷皿を支持する仕切壁を前記貯氷箱の上方に設けたことを特徴とする請求項１〜４のいずれかに記載の冷凍冷蔵庫。
【発明の詳細な説明】
【技術分野】
【０００１】
この発明は、冷凍室内に製氷皿と製氷皿で作られた氷を保存する貯氷箱を備えた冷凍冷蔵庫に関するものである。
【背景技術】
【０００２】
従来の冷凍冷蔵庫は、冷蔵庫各室と独立した製氷室を設けており、冷却器室に冷却器を備え、冷却器により冷却された空気をファン装置により冷蔵庫各室に分流循環するように構成され、製氷室を他室からの空気の流入がないように仕切り壁で囲い、製氷室に冷気を導く製氷室用吐出口と、製氷室に送られた冷気を冷却器室に戻す製氷室用戻り風路とを、他室及び、他室の風路と連通することなく設けている。また、貯氷ケースの上方に製氷皿を設置する構造とし、貯氷ケースと製氷皿は、悪臭成分を中和分解して消臭する消臭材を練りこんだ合成樹脂材料にて形成している（例えば、特許文献１参照）。
【０００３】
【特許文献１】特開平１１−２６７１９１号公報（段落０００９、００１４、図２）
【発明の開示】
【発明が解決しようとする課題】
【０００４】
従来の冷凍冷蔵庫の貯氷ケースの形状は、製氷室内部の下部の全体に沿った形状であるため、清掃時など出し入れを行う際の取扱性が悪く、手持性の悪さから清掃性も劣っていた。一方、近年は、一般家庭においても、粒が大きくて透明な氷が製氷可能な冷凍冷蔵庫を使用して、透明な氷を大量に使用する機会が増えてきており、氷を保存する貯氷箱も大容量化の傾向にあるため、上記のような貯氷箱では、特に、持ちにくく、取り扱いがしにくいという問題があった。
また、作られた氷を取り出すアイスキャッチャーを取り付けておく場所を設けていないため、アイスキャッチャーを貯氷箱内に放置したままにしておくか、別途、貯氷箱とは別のところからアイスキャッチャーを用意しなければならないという問題があった。
【０００５】
この発明は、上記のよう課題を解決するためになされたもので、大容量でも持ちやすく取扱性・清掃性のよい貯氷箱、また、すばやく氷を取り出せるようにアイスキャッチャーを貯氷箱の側壁に取り付けた貯氷箱を備えた冷蔵庫を提供することを目的とする。
【課題を解決するための手段】
【０００６】
この発明に係る冷凍冷蔵庫は、冷凍室内に製氷皿と貯氷箱を備えた冷凍冷蔵庫において、前記貯氷箱の側壁に内側に湾曲した把持用凹部を形成したものである。
【発明の効果】
【０００７】
この発明によれば、貯氷箱の側壁に内側に湾曲した把持用凹部を形成したので、持ちやすく、貯氷箱の出し入れや清掃時の取り扱いが容易である。
【発明を実施するための最良の形態】
【０００８】
実施の形態１．
図１はこの発明の実施の形態１を示す冷凍冷蔵庫の縦断面図、図２は貯氷箱を冷凍室内に配置し、扉を開いたときの正面図、図３は透明製氷皿の構成と貯氷箱を示す斜視図、図４は貯氷箱の把持用凹部の下部を掴んだ状態を示す図、図５は貯氷箱の把持用凹部の上部を掴んだ状態を示す図、図６は図４をＺ方向から見た平面図、図７は貯氷箱の他の把持用凹部を設けた貯氷箱を示す図である。
【０００９】
図１、図２において、冷凍冷蔵庫は、下部が冷蔵室１１、上部が冷凍室であり、冷凍室７の背面に設けられた冷却室２０に各室に供給する冷気を生成する冷却器１を備え、その下には冷却器１に付着する霜を除去するためのデフロストヒーター２が設けられている。さらに、その下方には、霜が解けたドレン水を受けるドリップトレイ３を配置している。  冷却室２０の前面にファングリル４を配置しその前面に貯氷箱１０を冷凍室７の床面に置き、貯氷箱１０の上に貯氷箱の開口部を塞ぐように透明製氷皿９を載置している。また、透明製氷皿９の上方に冷凍室棚８が設けられている。
【００１０】
なお、図１は、自動製氷機能を搭載せず、手動式の製氷を採用した小形冷蔵庫を示している。また、透明な氷は、特に、夏場などのソーメン、清涼飲料水やウイスキーを飲む際など、一般家庭においても比較的大量に使用されており、粒も大きいため貯氷箱は大容量タイプのものが必要とされてきており、図１に示す貯氷箱１０は主として大容量タイプのものとする。
【００１１】
図３において、透明製氷皿９は製氷上皿１２と製氷下皿１３の２重構造となっており、製氷上皿１２と製氷下皿１３の間は空間となっている。また、透明製氷皿９の氷塊形成室１５の底部には、不純物質を製氷上皿１２と製氷下皿１３の間の空間に流す連通穴２１が設けられている。
図４において、貯氷箱１０の左右の両側壁には、手の巾や形に合わせた絞り形状の把持用凹部１７が形成されている。この把持用凹部１７は、貯氷箱１０の前面側と背面側の約中央部に設けられ、貯氷箱１０の底からフランジ１０ａまでの全高に渡って形成されている。
また、図６に示すように氷がたくさん保存できるように、貯氷箱両側面の外側寸法Ｙを充分確保した上で、把持用凹部１７の外側寸法Ｘを手持ち性のよい寸法として、最大にとるようにし、例えば、１００ｍｍ程度としている。
【００１２】
次に、この発明に係る実施の形態１の動作を図１、４〜６により説明する。
まず、製氷については、ファングリル４の冷気吹き出し口５から出た冷気は、透明製氷皿９の上面と冷凍室棚８の間を流れ透明製氷皿９の氷塊形成室１５中の水を上面から徐々に氷結していく。一般家庭の水道水を使用すると残留塩素あるいは硬度分等不純物質は製氷中に未氷結部へ移行し最終氷結部に濃縮され白濁を生じる。氷塊形成室１５の不純物質は連通穴２１から下の空間部に押しやられ、氷塊形成室１５内には不純物の少ない透明な氷が作られる。
【００１３】
次に、貯氷箱１０の出し入れや清掃をするときは、図４に示すように、貯氷箱１０の側壁の把持用凹部１７の下部を持って行う。または、氷が沢山入って重たいとき等は、図５に示すように、側壁の把持用凹部１７の上部を掴んで出し入れを行う。
【００１４】
以上のように、冷凍室７内に透明製氷皿９と貯氷箱１０を備えた冷凍冷蔵庫において、貯氷箱１０の側壁に内側に湾曲した把持用凹部１７を形成したので、貯氷箱１０が大きくても、氷を取り出すときや清掃時などの出し入れの際に、手が小さい女性や子供にも持ちやすく取り扱いがしやすくすることができる。
また、把持用凹部１７を内側に湾曲したとしたので、掴みやすく、把持用凹部１７は絞り形状をなし、デザイン性も向上させることができる。
【００１５】
また、把持用凹部１７を貯氷箱１０の底から上部のフランジ１０ａまでの全高に渡って形成したので、氷が沢山入った重たいとき等に、上部外周のフランジ１０ａをしっかり掴んで持ち運びができ、より取り扱い性をよくすることができる。
また、把持用凹部１７を貯氷箱１０の左右の両側壁に形成したので、持ちやすく取り扱いがしやすくすることができる。
また、把持用凹部１７の外側の間の寸法を手持ち性のよい寸法とし、かつ、最大にとるようにしたので、氷を沢山保存できるとともに、持ちやすく取り扱いがしやすくすることができる。
また、把持用凹部１７を貯氷箱１０の前面側と背面側の約中央部に設けたので、貯氷箱１０を持ったとき、貯氷箱１０が傾くことなく水平に保たれ取り扱いがしやすい。
【００１６】
なお、本実施の形態では、側壁の絞り形状を貯氷箱１０の全高まで形成したが、図７に示すように、把持用凹部１７の形状を下部から手のかける高さの範囲とし、貯氷箱１０の全高に渡ってない形状でもよい。この場合は、貯氷箱１０の全高まで形成したもののように、上部外周のフランジ１０ａを掴めないが、透明な氷を多く保存することができる。
また、図示してないが、把持用凹部１７の形状を上部から手のかける高さの範囲とし、貯氷箱１０の全高に渡ってない形状でもよい。この場合は、貯氷箱１０の全高まで形成したもののように、貯氷箱１０の下部を掴めないが、透明な氷を多く保存することができる。
また、把持用凹部１７の形状を絞り形状の曲線としたが、フラット形状としてもよい。  この場合はデザイン性は低くなるが透明な氷を若干多く保存することができる。
また、貯氷箱１０は大容量タイプのものとしたが、手の小さい人でも使いやすくするために、大容量タイプのものでなくともよい。
【００１７】
実施の形態２．
本実施の形態は、貯氷箱の把持用凹部を利用して、把持用凹部に氷を取り出すアイスキャッチャーを保持する保持部を設け、アイスキャッチャーを保持するものである。
図８はこの発明の実施の形態２を示す冷凍冷蔵庫の貯氷箱１０の把持用凹部１７にアイスキャッチャー１９を取り付けたときの図である。
【００１８】
図８において、貯氷箱１０の把持用凹部１７の外側にアイスキャッチャー１９を取り付けるリブ１８を設け、アイスキャッチャーを固定できるようにしている。また、貯氷箱１０の把持用凹部１７の部分のフランジ１０ａに、アイスキャッチャー１９を取り外ししやすいように切りかけ部１０ｂを設けている。
【００１９】
このように、把持用凹部１７に氷を取り出すアイスキャッチャー１９を保持するリブ１８を設け、アイスキャッチャー１９を保持したので、余分な出張りが生じることもなく、アイスキャッチャー１９を取り付けることができる。
従って、従来はアイスキャッチャー１９を貯氷ケース内に放置したままにしておくか、別途、貯氷箱外からアイスキャッチャーを用意しなければならなかったが、すばやく氷を取り出すことができる。また、把持用凹部１７の有効利用をすることができる。
【００２０】
実施の形態３．
実施の形態１では、透明製氷皿９を貯氷箱の上に載置したが、本実施の形態は貯氷箱の上方に透明製氷皿９を支持する仕切壁を設けたものである。
図９はこの発明の実施の形態３を示す冷凍冷蔵庫の冷凍室の貯氷箱の上に設けられた仕切壁を示す図である。
図９において、冷凍室７の内壁に、冷凍室棚８の下部に当接する断面Ｌ字形状の仕切壁１６を設け、仕切壁１６上に透明製氷皿９を配置し、仕切壁１６の下に貯氷箱１０を配置している。  
【００２１】
このように、冷凍室７の内壁に固定され、透明製氷皿９を支持する仕切壁１６を貯氷箱１０の上方に設けたので、透明製氷皿９で製氷中、まだ氷結が完了していないときに、貯氷箱１０の氷を使いたい場合、透明製氷皿９内が、まだ、水の状態であるためできる限り動かしたくないので、このように透明製氷皿９と貯氷箱１０を分離させて設置することで、製氷中でも貯氷箱１０の氷を取り出せるので、より使い勝手を向上させることができる。
また、透明製氷皿９で製氷中、まだ氷結が完了していないときに動かして、水がこぼれても仕切壁１６があるので、貯氷箱１０に水が落下しないようにすることができる。
なお、以上の実施の形態１〜３では、透明な氷を保存する貯氷箱１０の場合を示したが、一般の氷用の貯氷箱でも手で掴めない大きい容量のときに上記の把持用凹部を設けてもよい。
【図面の簡単な説明】
【００２２】
【図１】この発明の実施の形態１を示す冷凍冷蔵庫の縦断面図である。
【図２】この発明の実施の形態１を示す冷凍冷蔵庫の貯氷箱を冷凍室内に配置し、扉を開いたときの正面図である。
【図３】この発明の実施の形態１を示す冷凍冷蔵庫の透明製氷皿の構成と貯氷箱を示す斜視図である。
【図４】この発明の実施の形態１を示す冷凍冷蔵庫の貯氷箱の把持用凹部の下部を掴んだ状態を示す図である。
【図５】この発明の実施の形態１を示す冷凍冷蔵庫の貯氷箱の把持用凹部の上部を掴んだ状態を示す図である。
【図６】図４をＺ方向から見た平面図である。
【図７】この発明の実施の形態１を示す冷凍冷蔵庫の貯氷箱を示す図である。
【図８】この発明の実施の形態２を示す冷凍冷蔵庫の貯氷箱の把持用凹部にアイスキャッチャーを取り付けたときの図である。
【図９】この発明の実施の形態２を示す冷凍冷蔵庫の貯氷箱の上に仕切壁を設けた図である。
【符号の説明】
【００２３】
７  冷凍室、９  透明製氷皿、１０  貯氷箱、１０ａ  フランジ、１６  仕切壁、１７  把持用凹部、１８  リブ、１９  アイスキャッチャー。
【図１】
2007113817.tif 000003
【図２】
2007113817.tif 000004
【図３】
2007113817.tif 000005
【図４】
2007113817.tif 000006
【図５】
2007113817.tif 000007
【図６】
2007113817.tif 000008
【図７】
2007113817.tif 000009
【図８】
2007113817.tif 000010
【図９】
2007113817.tif 000011